(57)【要約】      （修正有）【課題】排気ダクトの内壁に貼着した断熱材が剥離しないように押さえるダクト用押さえ部材を提供する。【解決手段】ダクト用押さえ部材は、両端にフランジ２１０の付いた管体２００と、管体２００の内壁に貼着された断熱材２２０と、管体２００の一端から他端に渡って断熱材２２０を管体２００に押し付けるように配置された板状の押さえ部材３００と、を有し、押さえ部材３００は、先端が管体２００のフランジ２１０に沿って折り曲げられ、隣接する管体２００と連結されるときに介在させるパッキンによって挟持される、ことを特徴とする。【選択図】図１
0003217863.tif 000002
【実用新案登録請求の範囲】
【請求項１】
両端にフランジの付いた管体と、
前記管体の内壁に貼着された断熱材と、
前記管体の一端から他端に渡って前記断熱材を前記管体に押し付けるように配置された板状の押さえ部材と、を有し、
前記押さえ部材は、先端が前記管体のフランジに沿って折り曲げられ、隣接する管体と連結されるときに介在させるパッキンによって挟持される、
ことを特徴とするダクト用押さえ部材。
【請求項２】
請求項１に記載のダクト用押さえ部材を有する、
ことを特徴とする排気ダクト。
【請求項３】
請求項２に記載の排気ダクトを備え、
殺菌対象容器に噴射された蒸気を集めて前記排気ダクトに送る、
ことを特徴とする加熱殺菌装置。
【考案の詳細な説明】
【技術分野】
【０００１】
本考案は、排気ダクトの内壁に貼着した断熱材が剥離しないように押さえるダクト用押さえ部材に関する。
【背景技術】
【０００２】
建物の空調設備や乾燥機においては、建物の外側に通じる排気口までダクトを繋ぎ、加熱された空気などを排出している。ダクトは、金属等を角筒や円筒などの形状に成形した管体を複数連結し、建物の天井裏や床下などに配設される。ダクト内を通過する空気の温度が高くなると、ダクト自体も熱くなることから、ダクトの外壁又は内壁に断熱材を取り付けることもある。
【０００３】
また、ダクト内外に温度差があると結露が生じ、ダクトを腐食させる原因となるが、断熱材を用いることで結露を減少させることもできる。特許文献１に記載されているように、結露が生じた場合でも断熱性が低下することなく、長期にわたって断熱性能を優れた状態で維持することができる断熱ダクトの発明も開示されている。
【先行技術文献】
【特許文献】
【０００４】
【特許文献１】特開２００７−２１２１１４号公報
【考案の概要】
【考案が解決しようとする課題】
【０００５】
しかしながら、特許文献１に記載の発明のように、ダクトの内壁に所定の吸水率の断熱材を載置しても、ダクト内を流れる空気や異物によって一部が剥がれたりすれば、そこから腐食していかないとも限らない。また、剥離が起きた場合、ダクトの経路内に存在する機器が破損したり、それに引っ掛かってダクトが詰まったりする可能性もある。
【０００６】
そこで、本考案は、排気ダクトの内壁に貼着した断熱材が剥離しないように押さえるダクト用押さえ部材を提供することを目的とする。
【課題を解決するための手段】
【０００７】
上記の課題を解決するために、本考案であるダクト用押さえ部材は、両端にフランジの付いた管体と、前記管体の内壁に貼着された断熱材と、前記管体の一端から他端に渡って前記断熱材を前記管体に押し付けるように配置された板状の押さえ部材と、を有し、前記押さえ部材は、先端が前記管体のフランジに沿って折り曲げられ、隣接する管体と連結されるときに介在させるパッキンによって挟持される、ことを特徴とする。
【０００８】
また、本考案である排気ダクトは、前記ダクト用押さえ部材を有する、ことを特徴とする。
【０００９】
さらに、本考案である加熱殺菌装置は、前記排気ダクトを備え、殺菌対象容器に噴射された蒸気を集めて前記排気ダクトに送る、ことを特徴とする。
【考案の効果】
【００１０】
本考案によれば、排気ダクトの内壁に貼着した断熱材が剥離しないように押さえることができる。断熱材が剥離しないことで、排気ダクトの結露を抑制し、腐食を防止することにより、排気ダクトの寿命を延ばすことができる。また、剥離することでダクト経路内に存在する機器が破損したり、それに引っ掛かってダクトが詰まったりする可能性も無くなる。
【図面の簡単な説明】
【００１１】
【図１】本考案であるダクト用押さえ部材を用いた排気ダクトを示す斜視図である。
【図２】本考案であるダクト用押さえ部材を用いた排気ダクトの連結部を拡大した断面図である。
【図３】本考案であるダクト用押さえ部材を用いた排気ダクトを備えた加熱殺菌装置の概観を示す斜視図である。
【図４】本考案であるダクト用押さえ部材を用いた排気ダクトを備えた加熱殺菌装置の使用状況を説明する断面図である。
【考案を実施するための形態】
【００１２】
以下に、本考案の実施形態について図面を参照して詳細に説明する。なお、同一機能を有するものは同一符号を付け、その繰り返しの説明は省略する場合がある。
【実施例１】
【００１３】
まず、本考案であるダクト用押さえ部材を用いた排気ダクトについて説明する。図１は、ダクト用押さえ部材を用いた排気ダクトを示す斜視図である。図２は、ダクト用押さえ部材を用いた排気ダクトの連結部を拡大した断面図である。
【００１４】
図１に示すように、排気ダクト１００は、両端にフランジ２１０の付いた管体２００、管体２００の内壁に貼着された断熱材２２０、及び管体２００の一端から他端に渡って断熱材２２０を管体２００に押し付けるように配置された板状の押さえ部材３００等を有する。なお、押さえ部材３００は、先端３１０が管体２００のフランジ２１０に沿って折り曲げられ、隣接する管体２００ａと連結されるときに介在させるパッキン２３０によって挟持される。
【００１５】
管体２００は、ステンレス鋼などの金属等の任意の厚さの板材を加工して、両底面の空いた所定の長さの筒状に成形されたものである。板材を断面が矩形となるように折り曲げて角筒状にしても良いし、環状に湾曲させて円筒状にしても良い。なお、管体２００を複数連結させて室内側の装置本体から室外側の排気口まで繋ぐので、向きを変えるために管体２００の途中が曲がっていたり、分岐又は合流したりしていても良い。
【００１６】
管体２００は、複数を連結するために、両端を外側に折り曲げたようなフランジ２１０が形成される。一の管体２００のフランジ２１０と、他の管体２００のフランジ２１０とを合わせることで、管内が密閉状態となるように連結される。
【００１７】
管体２００の内側には、内壁を全て覆うように断熱材２２０が取り付けられる。なお、剥離しないように接着剤などを用いて断熱材２２０を管体２００に貼着しても良いが、管体２００の内部を通過する空気などの温度が高くなる場合は、耐熱性のあるものが好ましい。その上で、断熱材２２０を押さえ部材３００で押さえ付ければ良い。
【００１８】
断熱材２２０は、グラスウール、ロックウールなどの繊維系のものや、ウレタン、ポリスチレン、発泡ゴムなどの発泡系のもの等を用いれば良い。なお、断熱材２００の厚さは、管体２００の径や、必要とされる断熱性能に応じて決めれば良い。また、結露が生じたときのために、吸水性のあるものを用いても良い。
【００１９】
押さえ部材３００は、管体２００の内部において、管体２００の一端の底側から他端の底側まで渡すように配置され、断熱材２２０の表面に沿って断熱材２２０を管体２００に押し付けるように取り付けられる。押さえ部材３００は、細長い帯状の金属板などを用いれば良い。
【００２０】
押さえ部材３００は、少なくとも内壁の一面を押さえれば良いが、四面とも押さえても良い。また、一面につき１本の押さえ部材３００で押さえても良いし、複数（例えば、２本など）の押さえ部材３００で押さえても良い。
【００２１】
図２に示すように、排気ダクト１００において、右側の管体２００と左側の管体２００ａとを連結する場合で説明する。管体２００の内壁には断熱材２２０が貼着され、押さえ部材３００で断熱材２２０が押さえられており、管体２００ａの内壁には断熱材２２０ａが貼着され、押さえ部材３００ａで断熱材２２０ａが押さえられている。
【００２２】
押さえ部材３００の先端３１０は、管体２００及び断熱材２２０から飛び出した部分が、フランジ２１０に沿って外方に向かって折り曲げられ、留具３２０などを用いてフランジ２１０に留められる。同様に、押さえ部材３００ａの先端３１０ａは、管体２００ａ及び断熱材２２０ａから飛び出した部分が、フランジ２１０ａに沿って外方に向かって折り曲げられ、留具３２０などを用いてフランジ２１０ａに仮留めされる。
【００２３】
管体２００のフランジ２１０と管体２００ａのフランジ２１０ａの間にパッキン２３０を挟んだ上で、フランジ２１０に貫通させた留穴、及びフランジ２１０ａに貫通させた留穴に、ボルトやナットなどの留金具２４０を通して締め付ける。パッキン２３０は、気密性及び耐熱性のある樹脂やゴムなどを用いれば良い。
【００２４】
パッキン２３０の弾力性を利用して、押さえ部材３００、３００ａを挟み込めば良い。パッキン２３０により押さえ部材３００、３００ａが保持され、断熱材２２０、２２０ａが管体２００、２００ａに押さえ付けられる。断熱材２２０、２２０ａが剥がれて、管体２００、２００ａとの間に隙間が生じるのを抑制することができる。
【００２５】
本考案によれば、排気ダクトの内壁に貼着した断熱材が剥離しないように押さえることができる。断熱材が剥離しないことで、排気ダクトの結露を抑制し、腐食を防止することにより、排気ダクトの寿命を延ばすことができる。また、剥離することでダクト経路内に存在する機器が破損したり、それに引っ掛かってダクトが詰まったりする可能性も無くなる。
【実施例２】
【００２６】
次に、本考案であるダクト用押さえ部材を用いた排気ダクトの応用例を説明する。図３は、ダクト用押さえ部材を用いた排気ダクトを備えた加熱殺菌装置の概観を示す斜視図である。図４は、ダクト用押さえ部材を用いた排気ダクトを備えた加熱殺菌装置の使用状況を説明する断面図である。
【００２７】
図３、４に示すように、例えば、加熱殺菌装置４００においては、食品等の容器４６０を内部の載置台４１０に置き、蒸気を導入管４３０から供給して、載置台４１０に複数空けた通気口４２０からそれぞれ蒸気４５０を噴射する。容器４６０は、蒸気４５０に曝されることにより加熱される。使用後の蒸気４５０は、上部に設けた集気部４４０で回収して排気ダクト１００に送られて排出される。
【００２８】
以上、本考案の実施例を述べたが、これらに限定されるものではない。すなわち、空調設備、乾燥機、加熱殺菌装置だけでなく、加熱された空気を排出するためのダクトを備えた装置に応用することができる。
【符号の説明】
【００２９】
１００：排気ダクト
２００：管体
２１０：フランジ
２２０：断熱材
２３０：パッキン
２４０：留金具
３００：押さえ部材
３１０：先端
３２０：留具
４００：加熱殺菌装置
４１０：載置台
４２０：通気口
４３０：導入管
４４０：集気部
４５０：蒸気
４６０：容器
【図１】
0003217863.tif 000003
【図２】
0003217863.tif 000004
【図３】
0003217863.tif 000005
【図４】
0003217863.tif 000006